(57)【要約】【課題】見守り機能を有したスケジュールブック・システムを提供する。【解決手段】本発明の見守り機能持ったスケジュールブック・システムは、（Ａ）監督者の情報端末装置は表示手段と通信機能を有し、スケジュールブックを認証して、前記スケジュールブック上の検知可能なネームラベルに関連するコンテンツを伝達し、（Ｂ）記憶装置は通信機能を有し、前記検知可能なネームラベルに関連するコンテンツを記憶或いは伝達し、（Ｃ）前記スケジュールブックは通信機能を有し機器情報を伝達し、複数の検知可能なネームラベルを有し、（Ｄ）ユーザーの情報端末装置は表示手段と通信機能を有し、スケジュールブックを認証して、監督者が複製したネームラベルを検知してその時間情報を伝達し、前記ネームラベルに関連するコンテンツを検索或いは表示する、（Ｅ）前記監督者の情報端末装置は通信機能と表示手段を有し、前記ネームラベル検知の時間情報を通知する、を有する。【選択図】図１
2018077811.tif 000002
【特許請求の範囲】
【請求項１】
ユーザーがスケジュールブックに時系列に行事や出来事などの名称を記入したコンテンツに関連するネームラベルを貼り、関連するコンテンツを見たり聞いたりすることにより監督者が見守りをすることができるスジェジュールブックにおいて、検知可能な複数のネームラベル（１１ａ，１１ｂ，１１ｃ）と前記複数のネームラベル（１１ａ，１１ｂ，１１ｃ）を有するユーザー及び監督者が認証したスケジュールブック（１０ａ，１０ｂ）を有し、前記検知可能な複数のネームラベル（１１ａ，１１ｂ，１１ｃ）に関連する複数コンテンツ（３２ａ，３２ｂ，３２ｃ）を記憶する通信ネットワーク上の記憶装置（３０）を有し、前記複数のネームラベル（１１ａ，１１ｂ，１１ｃ）から目的のネームラベル（１１ａ）を検出して前記目的のネームラベル（１１ａ）に関連するコンテンツ（３２ａ）を表示するユーザーの情報端末装置（２０）を有し、前記ユーザーの情報端末装置（２０）は前記目的のネームラベル（１１ａ）検知時の時間情報（７０）を送信器（２３）から送信し、前記記憶装置（３０）は受信機（３６）から受信した前記目的のネームラベル（１１ａ）から関連するコンテンツ（３２ａ）を選択して送信器（３４）から送信し、前記ユーザーの情報端末装置（２０）は受信器（２４）から受信した前記目的のネームラベル（１１ａ）に関連するコンテンツ（３２ａ）を表示手段（２６）で表示し、監督者の情報端末装置（４０）は前記目的のネームラベル（１１ａ）検知時の時間情報（７０）を受信器（４６）が受信して表示手段（４８）で表示することを特徴とする見守り機能を有したスケジュールブック・システム。
【請求項２】
監督者の情報端末装置（４０）は認証されたスケジュールブックに貼付された検知可能な追加ネームラベル（１１ａ）に関する追加コンテンデータ（４３）を送信器（４４）から送信し、通信ネットワーク上の記憶装置（３０）は検知可能な前記追加ネームラベル（１１ａ）に関する追加コンテンツデータ（４３）を受信器（３６）から受信して検知可能な前記追加ネームラベル（１１ａ）に関連するコンテンツ（３２ａ）として記憶することを特徴とする請求項１に記載のスケジュールブック・システム。
【請求項３】
通信ネットワーク上の記憶装置（３０）は目的の検知可能なネームラベル（１１ａ）に関するコンテンツ（３２ａ）を送信器（３４）から送信し、ユーザーの情報端末装置（２０）は前記の目的のネームラベル（１１ａ）に関するコンテンツ（３２ａ）の中から細分化されたコンテンツを処理ユニット（２２）で検索することを特徴とする請求項１に記載のスケジュールブック・システム。
【請求項４】
スケジュールブック（１０ａ，１０ｂ）のページ上の複数のネームラベル（１１ａ，１１ｂ，１１ｃ）を検知する手段として、ネームラベルにＱＲコードやバーコードなどのＩＤコード（１９ａ，１９ｂ，１９ｃ）を付属して印刷或いは貼付し、情報端末装置（２０，４０）はスケジュールブック（１０ａ，１０ｂ）を認証する近距離無線送受信器（７８，７２，８８，８２）を有し、ＩＤコード（１９ａ，１９ｂ，１９ｃ）を検知して解読するイメージセンサー（２８，４９）を有することを特徴とする請求項１に記載のスケジュールブック・システム。
【請求項５】
監督者（８０ｂ）が行事や出来事などの名称を記入したＩＤコード（１９ａ）を付属した検知可能なネームラベル（１１ａ）を複製してユーザー（８０ａ）に直接渡し、ユーザー（８０ａ）のスケジュールブック（１０ａ）に貼付することで、ネームラベル（１１ａ）に関連するコンテンツ（３２ａ）を監督者（８０ａ）とユーザー（１１ａ）が時系列で共有して管理することができることを特徴とする請求項１に記載のスケジュールブック・システム。
【請求項６】
スケジュールブック（１０ａ，１０ｂ）に機器情報（７６，８６）と近距離無線送信器（７８，８８）を有し、情報端末装置（２０，４０）に近距離無線受信器（７２，８２）と機器認証（７４，８４）を有して、ＩＤコード（１９ａ，１９ｂ，１９ｃ）が付属した検知可能なネームラベル（１１ａ，１１ｂ，１１ｃ）を認証されたスケジュールブック（１０ａ，１０ｂ）との組合せでのみ検知可能にすることを特徴とする請求項１に記載のスケジュールブック・システム。
【発明の詳細な説明】
【技術分野】
【０００１】本発明は、スケジュールブック（例、スケジュール帳やカレンダー帳）に関し、特に見守り機能付きスケジュールブック・システムに関する。
【背景技術】
【０００２】スケジュール帳などの個人用スケジュールブックは、行事や出来事及びその予定などを時系列に記載する文字情報が中心であるが、手軽に使えることと比較的安価であることで、若年者から高齢者にわたり幅広い年齢層のユーザーに対して普及しており、過去の行事や出来事の確認や情報の共有ができるため、友人や家族間でのコミュニケーションのツールとして有効である形態を有している。【０００３】個人用スケジュールブックは、ページ数とページ内スペースの制限で写真の貼付枚数が限られることと、第三者と写真を共有できないことがあり、視覚的なコンテンツの活用範囲は限定的である。【０００４】現状の環境センサーや人感センサーなど利用した見守り技術の多くは、ユーザーが監督者に一方的に監視されているという見守りされている側の心理的な不安がある。また、相互のコミュニケーション手段としての機能が乏しい。【０００５】書籍内の関連デジタルコンテンツを第三者と共有する方法は、印刷されたＩＤコードをイメージセンサーで読み取り電子メールやメッセージソフトで転送することが一般的だが、電子メール送付の手間や通信エラーなどが課題である。
【先行技術文献】
【特許文献】
【０００６】
【特許文献１】特開２０１５−５７７３９
【特許文献２】特開平１０−２４６９０
【発明の概要】
【発明が解決しようとする課題】
【０００７】従来のページ検知システムを有したブック・システムは、ページ内の複数コンテンツを検出できない、また監督者がユーザーにコンテンツを共有したり、新しいコンテンツデータを追加したり、ユーザーの使用状況を知ったりすることができない。【０００８】本発明は、従来の課題を解決して見守り機能付きスケジュールブック・システムを実現することを目的とするものである。
【課題を解決するための手段】
【０００９】本発明の一態様によれば、本発明の見守り機能付きスケジュールブック・システムは、
（Ａ）スケジュールブックと、
前記スケジュールブックは、ＩＤコードを付属した複数の検知可能なネームラベルが貼付されて、
（Ｂ）記憶装置と、
前記記憶装置は、前記検知可能なネームラベルに関連するコンテンツを記憶し、
（Ｃ）監督者の情報端末装置と、
前記監督者の情報端末装置は、前記検索可能なネームラベルに関連するコンテンツを伝達する、
（Ｄ）ユーザーの情報端末装置と、
前記ユーザーの情報端末装置は、前記検索可能なネームラベルに関連するコンテンツを検索或いは表示する、
を有する。
本発明の一態様によれば、前記情報端末装置は、携帯電話端末、スマートフォン、ゲーム機器、テレビ受像機、ＰＣモニター、スマートウォッチ、スマートグラスなどに組み込まれる。
【発明の効果】
【００１０】本発明のスケジュールブック・システムは、ユーザーが認証されたスケジュールブック内のネームラベルに付属するＩＤコードをユーザーの持っている情報端末装置で読み取ると、コンテンツをユーザーの情報端末装置に表示して、ユーザーがコンテンツを閲覧した時間情報を監督者などの情報端末装置へ自動的に通知及び表示することで、ユーザーのコンテンツに対する関心度合いや活動状況を監督者などが確認して、ユーザーとの効果的なコミュニケーションをとることができる。【００１１】監督者とユーザーとの間で写真などのコンテンツをネームラベル化して、電子的手段を使わずに手渡しや郵送などの物理的手段で直接渡して共有することができるため、コンテンツの受け渡しに対してお互いに安心感と信頼感が得られ、コンテンツを媒体にしたコミュニケーションの頻度が高まる。
【図面の簡単な説明】
【００１２】
【図１】ユーザーのスケジュールブックに複数のネームラベルを貼付してイメージセンサーで検出する、見守り機能付きスケジュールブック・システムの実施方法を示した図面である。
【図２】監督者のスケジュールブックに複数のネームラベルを貼付してイメージセンサーで検出する、見守り機能付きスケジュールブック・システムの実施方法を示した図面である。
【発明を実施するための形態】
【００１３】行事や出来事に関するコンテンツを媒体にした見守り機能を実現するために、監督者が作成したネームラベルを認証されたスケジュールブックに貼付してネームラベルをユーザーの情報端末装置を使って検出すると、ネームラベルに関連したコンテンツがユーザーの情報端末装置に表示され、同時にユーザーがネームラベルを検出した情報を監督者の情報端末装置に通知及び表示するようにした。
【実施例１】
【００１４】図１の実施例は、ユーザーが所有するスケジュールブック（１０ａ）は機器情報（７６）を近距離無線送信器（７８）で送信して、情報端末装置（２０）の近距離無線受信機（７２）で受信されて機器認証（７４）した後、情報端末装置（２０）にあるイメージセンサー（２８）でスケジュールブック（１０ａ）に貼付されたネームラベル（１１ｄ）を付属するＩＤコード（１９ａ）を読み取ることで検出して、機器認証（７４）とＩＤコード（１９ａ）の情報を送信器（２３）から送信すると同時に、ネームラベル（１１ａ）検知時の時間情報（７０）も送信器（２３）から送信される。【００１５】認証情報（７４）とＩＤコード（１９ａ）の情報は記憶装置（３０）の受信器（３６）で受信された後、その情報を基に保存されている複数のコンテンツ（３２ａ，３２ｂ，３２ｃ）の中からネームラベル（１１ａ）に関連するコンテンツ（３２ａ）が選ばれて送信器（３４）から送信される。【００１６】ネームラベル（１１ａ）に関連するコンテンツ（３２ａ）はユーザーの情報端末装置（２０）の受信器（２４）で受信され、処理ユニット（２２）で個別コンテンツを検索して表示手段（２６）で表示して見る。【００１７】ネームラベル（１１ａ）検知時の時間情報（７０）は監督者の情報端末装置（４０）の受信器（４６）で受信され、表示手段（４８）によってネームラベル（１１ａ）検知の時間情報が通知される。【００１８】図２の実施例は、監督者が所有するスケジュールブック（１０ｂ）は機器情報（８６）を近距離無線送信器（８８）で送信し、情報端末装置（４０）の近距離無線受信機（８２）で受信して機器認証（８４）した後、スケジュールブック（１０ｂ）に貼付されたネームラベル（１１ａ）を付属するＩＤコード（１９ａ）を読み取ることで検出して、コンテンツデータ（４３）は機器認証（８４）とＩＤコード（１９ａ）の情報と一緒に送信器（４４）から送信する。【００１９】コンテンツデータ（４３）は記憶装置（３０）の受信器（３６）で受信された後、同時に受信された機器認証（８４）とＩＤコード（１９ａ）の情報を基にネームラベル（１１ａ）に関連するコンテンツ（３２ａ）として保存される。
【符号の説明】
【００２０】１０ａ  ユーザーのスケジュールブック
１０ｂ  管理者のスケジュールブック
１１ａ，１１ｂ，１１ｃ  ネームラベル
１９ａ，１９ｂ，１９ｃ  ＩＤコード
２０  ユーザーの情報端末装置
２２  処理ユニット
２３  送信器
２４  受信器
２６  表示手段（コンテンツ）
２８  イメージセンサー
３０  記憶装置
３２ａ，３２ｂ，３２ｃ  コンテンツ
３４  送信器
３６  受信器
４０  監督者の情報端末装置
４３  コンテンツデータ
４４  送信器
４６  受信器
４８  表示手段（通知／コンテンツ）
７０  ネームラベル検知時の時間情報
７２  近距離無線受信機
７４  機器認証
７６  機器情報
７８  近距離無線送信機
８０ａ  ユーザー
８０ｂ  監督者
８２  近距離無線受信機
８４  機器認証
８６  機器情報
８８  近距離無線送信機
【図１】
2018077811.tif 000003
【図２】
2018077811.tif 000004